(57)【特許請求の範囲】
【請求項１】
作業員が携帯し、スタンドアロン型ガスメータとの情報の送受信を無線あるいは有線で行うパーソナル端末装置において、
上記スタンドアロン型ガスメータに所望の情報を要求する要求手段と、
上記スタンドアロン型ガスメータから送信されてきた上記所望の情報を受信し格納する情報格納手段と、
上記情報格納手段に格納された情報を解析し、必要な解析結果を生成する情報解析手段
と、
上記解析結果を画面表示する表示手段と、を備え、
上記所望の情報が、月当りの流量区分別ガス消費量、月々のガス消費量、日々のガス消費量、ガス供給遮断を指令したか否かを示すガス遮断情報およびガス使用者に伝達された警告情報、ガス器具別ガス消費量であり、
上記要求手段が、上記月当りの流量区分別ガス消費量を要求したときに、上記情報解析手段は、上記月当りの流量区分別ガス消費量を用いてガス器具の増減を判別し、
上記要求手段が、上記月々のガス消費量を要求したときに、上記情報解析手段は、上記月々のガス消費量を用いてガス消費量の月々の変化状況を求め、
上記要求手段が、上記日々のガス消費量を要求したときに、上記情報解析手段は、上記日々のガス消費量を用いてガス消費量の日々の変化状況を求め、
上記要求手段が、上記ガス供給遮断を指令したか否かを示すガス遮断情報およびガス使用者に伝達された警告情報を要求したときに、上記情報解析手段は、上記ガス遮断情報および警告情報に基づいてガス使用状況を解析し、
上記要求手段が、上記ガス器具別ガス消費量を要求したときに、上記情報解析手段は、上記ガス器具別ガス消費量を用いて当該ガス器具および供給配管に異常がないか否かの判別を行う、
ことを特徴とするパーソナル端末装置。
【請求項２】
スタンドアロン型ガスメータと、作業員が携帯しそのスタンドアロン型ガスメータとの間での情報の送受信を無線あるいは有線で行うパーソナル端末装置とを備え、ガス関連情報の解析を行うガス情報解析システムにおいて、
上記スタンドアロン型ガスメータに所望の情報を要求する要求手段と、
上記スタンドアロン型ガスメータから送信されてきた上記所望の情報を受信し格納する情報格納手段と、
上記情報格納手段に格納された情報を解析し、必要な解析結果を生成する情報解析手段と、
上記解析結果を画面表示する表示手段と、を備え、
上記所望の情報が、上記月当りの流量区分別ガス消費量、月々のガス消費量、日々のガス消費量、ガス供給遮断を指令したか否かを示すガス遮断情報およびガス使用者に伝達された警告情報、ガス器具別ガス消費量であり、
上記要求手段が、月当りの流量区分別ガス消費量を要求したときに、上記情報解析手段は、上記月当りの流量区分別ガス消費量を用いてガス器具の増減を判別し、
上記要求手段が、上記月々のガス消費量を要求したときに、上記情報解析手段は、上記月々のガス消費量を用いてガス消費量の月々の変化状況を求め、
上記要求手段が、上記日々のガス消費量を要求したときに、上記情報解析手段は、上記日々のガス消費量を用いてガス消費量の日々の変化状況を求め、
上記要求手段が、上記ガス供給遮断を指令したか否かを示すガス遮断情報およびガス使用者に伝達された警告情報を要求したときに、上記情報解析手段は、上記ガス遮断情報および警告情報に基づいてガス使用状況を解析し、
上記要求手段が、上記ガス器具別ガス消費量を要求したときに、上記情報解析手段は、上記ガス器具別ガス消費量を用いて当該ガス器具および供給配管に異常がないか否かの判別を行う、パーソナル端末装置と、
上記パーソナル端末装置から要求された情報を受信し、その要求情報に応答する情報をパーソナル端末装置に送信する応答手段を備えるスタンドアロン型ガスメータと、
からなることを特徴とするガス情報解析システム。
【発明の詳細な説明】
【技術分野】
【０００１】
この発明は、作業員が携帯しガスメータとの情報の送受信を無線あるいは有線で行うパーソナル端末装置、およびガスメータとパーソナル端末装置とを備えたガス情報解析システムに関するものである。
【背景技術】
【０００２】
近年、ガスメータはマイコンを備え、ガス使用先でのガス消費量やガス漏れの有無等をそのマイコンで監視できるようになっている。このガスメータは集中管理センタに通信で接続され、マイコンが把握した各種の情報は集中管理センタに送られ、集中管理センタ側でガス使用先でのガスの使用状況を把握できるようになっている。
【０００３】
一方、マイコンを備えたガスメータであっても、集中管理センタに接続されず、スタンドアロン型のものも数多く存在している。
【０００４】
このスタンドアロン型のガスメータの場合、ガスメータはガス使用量のデータだけでなく、各種の有効なデータをもっているものの、その各種データは読み取られることなく、ガスメータに内蔵されたままとなり、有効に活用されていなかった。
【０００５】
検針員が、月に一度の検針時に、ガスメータに携帯用の設定器（ガスメータ通信装置）を有線で接続し、ガスメータ内のデータを読み取ることも可能であるが、その読み取ったデータも直ちに検針員が理解できる内容のものではなく、やはり有効に活用できないままであった（下記の特許文献１参照）。
【先行技術文献】
【特許文献】
【０００６】
【特許文献１】特開２００２−３１０７６８号公報
【発明の概要】
【発明が解決しようとする課題】
【０００７】
この発明は上記に鑑み提案されたもので、スタンドアロン型のガスメータであっても、ガスメータ内のデータを簡単に読み取り、その読み取ったデータを直ちに解析して有効な情報とし、活用することができるパーソナル端末装置およびガス情報解析システムを提供することを目的とする。
【課題を解決するための手段】
【０００８】
上記目的を達成するために、請求項１に記載の発明は、作業員が携帯し、スタンドアロン型ガスメータとの情報の送受信を無線あるいは有線で行うパーソナル端末装置において、上記スタンドアロン型ガスメータに所望の情報を要求する要求手段と、上記スタンドアロン型ガスメータから送信されてきた上記所望の情報を受信し格納する情報格納手段と、上記情報格納手段に格納された情報を解析し、必要な解析結果を生成する情報解析手段と、上記解析結果を画面表示する表示手段と、を備え、上記所望の情報が、月当りの流量区分別ガス消費量、月々のガス消費量、日々のガス消費量、ガス供給遮断を指令したか否かを示すガス遮断情報およびガス使用者に伝達された警告情報、ガス器具別ガス消費量であり、上記要求手段が、上記月当りの流量区分別ガス消費量を要求したときに、上記情報解析手段は、上記月当りの流量区分別ガス消費量を用いてガス器具の増減を判別し、上記要求手段が、上記月々のガス消費量を要求したときに、上記情報解析手段は、上記月々のガス消費量を用いてガス消費量の月々の変化状況を求め、上記要求手段が、上記日々のガス消費量を要求したときに、上記情報解析手段は、上記日々のガス消費量を用いてガス消費量の日々の変化状況を求め、上記要求手段が、上記ガス供給遮断を指令したか否かを示すガス遮断情報およびガス使用者に伝達された警告情報を要求したときに、上記情報解析手段は、上記ガス遮断情報および警告情報に基づいてガス使用状況を解析し、上記要求手段が、上記ガス器具別ガス消費量を要求したときに、上記情報解析手段は、上記ガス器具別ガス消費量を用いて当該ガス器具および供給配管に異常がないか否かの判別を行うことを特徴としている。
また、請求項２に記載の発明は、スタンドアロン型ガスメータと、作業員が携帯しそのスタンドアロン型ガスメータとの間での情報の送受信を無線あるいは有線で行うパーソナル端末装置とを備え、ガス関連情報の解析を行うガス情報解析システムにおいて、上記スタンドアロン型ガスメータに所望の情報を要求する要求手段と、上記スタンドアロン型ガスメータから送信されてきた上記所望の情報を受信し格納する情報格納手段と、上記情報格納手段に格納された情報を解析し、必要な解析結果を生成する情報解析手段と、上記解析結果を画面表示する表示手段と、を備え、上記所望の情報が、上記月当りの流量区分別ガス消費量、月々のガス消費量、日々のガス消費量、ガス供給遮断を指令したか否かを示すガス遮断情報およびガス使用者に伝達された警告情報、ガス器具別ガス消費量であり、上記要求手段が、月当りの流量区分別ガス消費量を要求したときに、上記情報解析手段は、上記月当りの流量区分別ガス消費量を用いてガス器具の増減を判別し、上記要求手段が、上記月々のガス消費量を要求したときに、上記情報解析手段は、上記月々のガス消費量を用いてガス消費量の月々の変化状況を求め、上記要求手段が、上記日々のガス消費量を要求したときに、上記情報解析手段は、上記日々のガス消費量を用いてガス消費量の日々の変化状況を求め、上記要求手段が、上記ガス供給遮断を指令したか否かを示すガス遮断情報およびガス使用者に伝達された警告情報を要求したときに、上記情報解析手段は、上記ガス遮断情報および警告情報に基づいてガス使用状況を解析し、上記要求手段が、上記ガス器具別ガス消費量を要求したときに、上記情報解析手段は、上記ガス器具別ガス消費量を用いて当該ガス器具および供給配管に異常がないか否かの判別を行う、パーソナル端末装置と、上記パーソナル端末装置から要求された情報を受信し、その要求情報に応答する情報をパーソナル端末装置に送信する応答手段を備えるスタンドアロン型ガスメータとからなることを特徴としている。
【発明の効果】
【０００９】
この発明では、作業員が携帯したパーソナル端末装置で、ガスメータが所有するガス関連情報を取得し解析を行うようにしたので、スタンドアロン型のガスメータであっても、ガスメータ内のデータを簡単に読み取り、その読み取ったデータを直ちに解析して有効な情報とし、活用することができる。したがって、作業員もその解析情報に基づいてガス供給先でのガス使用状況を的確に把握し適切な対処を行うことができる。
【図面の簡単な説明】
【００１０】
【図１】この発明のガス情報解析システムの概略的な説明図である。
【図２】この発明のガス情報解析システムの構成を示すブロック図である。
【発明を実施するための形態】
【００１１】
以下にこの発明の実施の形態を詳細に説明する。
【００１２】
図１はこの発明のガス情報解析システムの概略的な説明図である。図１において、この発明のガス情報解析システム１は、ガス供給先１０に配置されたガスメータ２と、作業員が携帯するパーソナル端末装置３とを備え、パーソナル端末装置３が、ガスメータ２との間での情報の送受信を無線あるいは有線で行ってそのガスメータ２から取得したガス関連情報の解析を行うシステムである。
【００１３】
ガスメータ２は、ＣＰＵ、ＲＯＭ、ＲＡＭを有するマイクロコンピュータ（マイコン）を中心に構成された制御部（図示省略）を備え、また内部のガス通路（図示省略）に流量センサ（図示省略）を備えている。なお、このガスメータ２は、保安管理センタとの接続はなされていないスタンドアロン型のものである。
【００１４】
流量センサは、ガスメータ２内のガス通路に、第１送受信器と第２送受信機とが流れ方向の上流側と下流側に対向して配置されて構成され、第１および第２送受信器は、予め定めた周期毎に互いに超音波信号を送受信する。制御部は、その各信号を受けて伝搬時間を計測し、第１送受信器と第２送受信器との超音波の伝搬時間差からガス通路の断面積やガスの流れ状態を考慮して、ガス通路を流れるガスの瞬時流量値を求め、またガス流量積算値を求める。
【００１５】
ガスメータ２の制御部は、流量センサから送られてきた信号を用いて、ガスの瞬時流量値、日毎のガス流量積算値（ガス消費量）、月毎のガス流量積算値を求め、これらの値をメモリに記憶している。
【００１６】
ガスメータ２の制御部は、ガスの瞬時流量値等を用いて流量区分別ガス消費量を求め、この値をメモリに記憶している。ここで、ガス流量の流量区分は、例えば２１Ｌ（リットル）／時未満の流量区分１、２１Ｌ／時以上６３Ｌ／時未満の流量区分２−１、６３Ｌ／時以上１２５Ｌ／時未満の流量区分２−２、１２５Ｌ／時以上２１０Ｌ／時未満の流量区分２−３、２１０Ｌ／時以上２５０Ｌ／時未満の流量区分３、・・・、１４６０Ｌ／時以上の流量区分１３といった１５の流量区分に区切られ、ガスメータ２では、検出したガス流量がその時点で何れの流量区分に属しているかを監視し、流量区分別にガス消費量を求めている。
【００１７】
また、ガスメータ２の制御部は、ガスの瞬時流量値等を用いてガス供給先１０でのガス使用状況を監視し、その監視の結果ガス漏れが発生したとの判別がなされた場合は、ガス供給遮断を指令するとともにそのガス遮断情報を一定期間メモリに記憶している。また、ガス使用状況の監視結果に応じて、種々の警告情報を作成し、表示部２０に表示して使用者や作業員に通知するとともに、一定期間メモリに記憶している。
【００１８】
さらに、ガスメータ２の制御部は、ガスの瞬時流量値等を用いてガス供給先１０において使用開始となったガス器具を識別し、そのガス器具によるガス消費量を検出し、ガス器具別ガス消費量として一定期間メモリに記憶している。
【００１９】
次に、図２を用いて、ガス情報解析システムの構成およびパーソナル端末装置が行う情報解析について説明する。
【００２０】
図２はこの発明のガス情報解析システムの構成を示すブロック図である。図２において、この発明のガス情報解析システム１は、上記したように、ガスメータ２と、作業員が携帯しそのガスメータ２との間での情報の送受信を無線あるいは有線で行うパーソナル端末装置３とを備え、ガス関連情報の解析を行うシステムである。
【００２１】
ガスメータ２は、パーソナル端末装置３から要求された情報を受信し、その要求情報に応答する情報をパーソナル端末装置３に送信する応答手段２１を備えている。
【００２２】
パーソナル端末装置３は、ガスメータ２に所望の情報を要求する要求手段３１と、ガスメータ２から送信されてきた所望の情報を受信し格納する情報格納手段３２と、情報格納手段３２に格納された情報を解析し、必要な解析結果を生成する情報解析手段３３と、その解析結果を画面表示する表示手段３４と、を備えている。
【００２３】
なお、ガスメータ２の応答手段２１は、マイコンのＲＯＭに記憶された本発明に係るプログラムに従ってＣＰＵが動作するソフトウェアの機能を含むものとなっている。また、パーソナル端末装置３についても、ＣＰＵ、ＲＯＭ、ＲＡＭを有するマイクロコンピュータ（マイコン）を中心に構成され、パーソナル端末装置３の要求手段３１，情報格納手段３２，情報解析手段３３および表示手段３４は、マイコンのＲＯＭに記憶された本発明に係るプログラムに従ってＣＰＵが動作するソフトウェアの機能を含むものとなっている。
【００２４】
このパーソナル端末装置３は、先ず作業者がキー３９（図１）を押す操作によって画面３０（図１）に表示されるメニューから作業者が指で押圧することで選択した項目に応じて、要求信号をガスメータ２に送信する。
【００２５】
ガスメータ２の応答手段２１は、その要求信号を受信し、その要求信号に応答する情報をガスメータ２のメモリから取り出し、パーソナル端末装置３に送信する。
【００２６】
パーソナル端末装置３の情報格納手段３２は、ガスメータ２から送信されてきた所望の情報を受信し、所定のメモリ領域に格納する。ここで、所望の情報は、例えばガスメータ２が保持している月当りの流量区分別ガス消費量、日毎のガス消費量、月毎のガス消費量、ガス遮断情報、警告情報、ガス器具別ガス消費量などである。
【００２７】
パーソナル端末装置３の情報解析手段３３は、情報格納手段３２に格納された情報を解析し、必要な解析結果を生成する。例えば、月当りの流量区分別ガス消費量を用いて、増加したガス流量分、あるいは減少したガス流量分が何れのガス器具のものに相当するか照合し、その結果に基づいて当月で使用されたガス器具の増減を判別し、表示手段３４がその判別結果を画面３０に表示する。
【００２８】
また、月々のガス消費量を用いてガス消費量の月々の変化状況を求め、表示手段３４がその変化状況を画面３０に表示する。
【００２９】
また、日々のガス消費量を用いてガス消費量の日々の変化状況を求め、表示手段３４がその変化状況を画面３０に表示する。
【００３０】
また、ガス遮断情報および警告情報に基づいてガス使用状況を解析し、表示手段３４がそのガス使用状況解析結果を画面３０に表示する。
【００３１】
さらに、ガス器具別ガス消費量を用いて当該ガス器具および供給配管に異常がないか否かの判別を行い、表示手段３４がその異常の有無判別結果を画面３０に表示する。
【００３２】
このように、この発明では、作業員が携帯したパーソナル端末装置３で、ガスメータ２が所有するガス関連情報を取得し解析を行うようにしたので、スタンドアロン型のガスメータ２であっても、ガスメータ２内のデータを簡単に読み取り、その読み取ったデータを直ちに解析して有効な情報とし、活用することができる。したがって、作業員もその解析情報に基づいてガス供給先１０でのガス使用状況を的確に把握し適切な対処を行うことができる。
【符号の説明】
【００３３】
１  ガス情報解析システム
１０  ガス供給先
２  ガスメータ
２０  表示部
２１  応答手段
３  パーソナル端末装置
３０  画面
３１  要求手段
３２  情報格納手段
３３  情報解析手段
３４  表示手段
３９  キー
【図１】
0005973726.tif 000002
【図２】
0005973726.tif 000003